(57)【特許請求の範囲】
【請求項１】
楽器本体に設けられた複数の弦部材と、
該複数の各弦部材に対する撥弦動作を検出する撥弦動作検出手段と、
発生させたい楽音の音高を指定するための複数の音高指定用スイッチと、
該複数の音高指定用スイッチうちの少なくとも１つのスイッチが押下されたときおよび／または前記撥弦動作検出手段によって撥弦動作が検出されたときに、対応する音高の楽音を発生させる楽音発生手段と、
前記複数の音高指定スイッチのうち少なくとも１つのスイッチが押下されたときのみに前記楽音発生手段から発生させる楽音の音量は所定値以下の所定音量に制御するとともに、前記撥弦動作検出手段によって撥弦動作が検出されたときに前記楽音発生手段から発生させる楽音の音量は前記所定値以上の音量に制御する制御手段と
を有することを特徴とする電子弦楽器。
【発明の詳細な説明】
【０００１】
【発明の属する技術分野】
本発明は、弦部材の操作を検出して楽音を電気的に発生するようにした電子弦楽器に関する。
【０００２】
【従来の技術】
従来、弦部材を備え、この弦部材の操作を検出して楽音を電気的に発生するようにした電子弦楽器が知られている。この電子弦楽器では、たとえば、楽器全体をギター型に構成し、楽器本体部に設けた弦部材の撥弦動作を、振動あるいは撓み等を介して検出し、その検出信号をトリガとして楽音を発生するようにしている。
【０００３】
また、他の従来技術として、たとえば、棹部に設けた操作子で音高を決定するとともに、弦部材を撥いて楽音発生のタイミングを決定するものがあり、さらに、自動演奏の歩進の制御等を行うようにしたものもある。
【０００４】
ところで、アコースティックギター等も発音操作に関しては、上記従来例とおおむね同じようになされる（すなわち、フレット操作部で音高を決定し、撥弦部で楽音発生タイミングを決定する）が、それに加えて、フレットのみを強く指で押さえる操作、いわゆるハンマリング操作によっても発音することができる。
【０００５】
【発明が解決しようとする課題】
しかし、上記従来の電子弦楽器では、アコースティックギターのように、ハンマリング発音を行うことができないので、演奏の表現力が乏しかった。
【０００６】
本発明は、この点に着目してなされたものであり、演奏の表現力をより向上させた電子弦楽器を提供することを目的とする。
【０００７】
【課題を解決するための手段】
上記目的を達成するため、請求項１に記載の電子弦楽器は、楽器本体に設けられた複数の弦部材と、該複数の各弦部材に対する撥弦動作を検出する撥弦動作検出手段と、発生させたい楽音の音高を指定するための複数の音高指定用スイッチと、該複数の音高指定用スイッチうちの少なくとも１つのスイッチが押下されたときおよび／または前記撥弦動作検出手段によって撥弦動作が検出されたときに、対応する音高の楽音を発生させる楽音発生手段と、前記複数の音高指定スイッチのうち少なくとも１つのスイッチが押下されたときのみに前記楽音発生手段から発生させる楽音の音量は所定値以下の所定音量に制御するとともに、前記撥弦動作検出手段によって撥弦動作が検出されたときに前記楽音発生手段から発生させる楽音の音量は前記所定値以上の音量に制御する制御手段とを有することを特徴とする。
【０００８】
請求項１に記載の電子弦楽器では、（１）複数の音高指定用スイッチうちの少なくとも１つのスイッチが押下されたときのみ、つまり、撥弦動作検出手段によって撥弦動作が検出されずに、複数の音高指定用スイッチうちの少なくとも１つのスイッチが押下されたときであっても、（２）複数の音高指定用スイッチうちの少なくとも１つのスイッチが押下された状態で、撥弦動作検出手段によって撥弦動作が検出されたときであっても、さらに、（３）撥弦動作検出手段によって撥弦動作が検出されたときのみ、つまり、複数の音高指定用スイッチのいずれのスイッチも押下されない状態で、撥弦動作検出手段によって撥弦動作が検出されたときであっても、対応する音高の楽音が、楽音発生手段から発生する。このように、上記（１）〜（３）の３つの場合を１つの請求項で表現するために、「および／または」を使用している。
【０００９】
前記制御手段は、前記複数の音高指定スイッチのうち少なくとも１つのスイッチが押下されたときのみに前記楽音発生手段から発生させる楽音の音量を、前記撥弦動作検出手段によって撥弦動作が検出されたときに前記楽音発生手段から発生させる楽音の音量より小さく制御することが好ましい。
【００１０】
また、前記制御手段は、前記複数の音高指定スイッチのうち少なくとも１つのスイッチが押下されたときのみに前記楽音発生手段から発生させる楽音の音量を、小かつ一定（たとえば１５ｄＢ程度）に制御することが好ましい。
【００１１】
さらに、前記制御手段は、前記複数の音高指定スイッチのうち少なくとも１つのスイッチが押下されたときのみに前記楽音発生手段から発生させる楽音の音量（第１トリガリング音量）を、小かつ一定に制御している状態で、前記撥弦動作検出手段によって撥弦動作が検出されたときに前記楽音発生手段から発生させる楽音の音量（第２トリガリング音量）が、上記一定の第１トリガリング音量を下回った場合には、該第１トリガリング音量をさらに下げるように制御することが好ましい。
【００１２】
また、さらに、前記制御手段は、前記第１トリガリング音量を小かつ一定に制御している状態で、第２トリガリング音量が上記一定の第１トリガリング音量を下回った場合には、該第１トリガリング音量をさらに下げるとともに、第２トリガリング音量を第１トリガリング音量に一致させるように制御することが好ましい。
【００１３】
【発明の実施の形態】
以下、本発明の実施の形態を図面に基づいて詳細に説明する。
【００１４】
図１は、本発明の一実施の形態に係る電子弦楽器１の概略構成を示すブロック図である。
【００１５】
同図に示すように、本実施の形態の電子弦楽器１は、胴体部１ａおよび棹部１ｂによって構成されている。棹部１ｂの、ギターでいう指盤部に相当する部分には、音高スイッチ部１ｃが設けられ、胴体部１ａには、弦入力部１ｄが設けられている。
【００１６】
音高スイッチ部１ｃは、主として、複数個（たとえば７２個）の押弦スイッチから構成され、押弦スイッチは、棹部１ｂの長手方向に列状に６列、各列１２個ずつ配置されている。
【００１７】
また、弦入力部１ｄは、主として、複数本（たとえば６本）の弦部材と、該各弦部材の一端部にそれぞれ配置されたセンサ体とによって構成されている。各センサ体は、たとえばピエゾセンサによって構成され、このピエゾセンサによって、各弦部材の撥弦動作および撥弦強さを検出する。
【００１８】
音高スイッチ部１ｃからの７２本の信号出力（７２個の押弦スイッチの各スイッチからそれぞれ出力される信号であり、当該スイッチがオンのときハイレベルとなり、当該スイッチがオフのときロウレベルとなる）と、弦入力部１ｄからの６本の信号出力（６個のセンサ体からそれぞれ出力されるアナログ信号である）は、楽音信号発生部２に供給される。
【００１９】
楽音信号発生部２では、音高スイッチ部１ｃからの出力信号のうち、ハイレベルのものに対応する音高データが形成され、内蔵の音源部（波形メモリ音源やＦＭ音源等、その楽音生成方式は問わない）に設定される。音源部は、設定された音高データに対応する楽音信号の生成を要求するためのキーオンが設定されると、当該楽音発生方式に従って楽音信号を発生させる。ここで、キーオンは、本実施の形態では、音高スイッチ部１ｃからハイレベルの信号が出力された時点および弦入力部１ｄから信号が出力された時点で音源部に設定される。なお、楽音信号発生部２は、本実施の形態では、弦入力部１ｄの各弦部材にそれぞれ対応したチャンネル（６チャンネル）分の楽音信号を発生させることができるように構成されている。
【００２０】
楽音信号発生部２によって生成された各チャンネルの楽音信号は、各チャンネル毎に設けられたデジタルアンプ（ＡＭＰ）９ａ〜９ｆにそれぞれ供給される。各デジタルアンプ９ａ〜９ｆには、それぞれ、その増幅率を決定するための信号も供給される。
【００２１】
前記音高スイッチ部１ｃからの７２本の出力信号は、該各出力信号の論理和を取り、その結果を出力するＯＲ回路３にも供給される。このＯＲ回路３はエニーキーオン検出手段として機能するものである。ＯＲ回路３の出力は、小音正規化部４に供給されるとともに、ＡＮＤ回路８の一方の入力端子に供給される。
【００２２】
小音正規化部４は、ＯＲ回路３からハイレベルの信号が供給されたときに、所定の小音量を示す値を、たとえば５ビットで出力する。５ビットの信号では、１０進数で０〜３２の値を表現できるため、小音量を示す値とは、たとえば“３（２進数で０００１１）”（具体的には、１５ｄＢ程度の音量を示す値）である。この１５ｄＢ程度の音量とは、音高（振動周波数）によっても多少変動するが、小声（ひそひそ話）と同程度か、それよりわずかに大きい音量であると言い換えることができる。もちろん、この音量は、スピーカ１２から発音されたときの音量であって、スピーカ１２から発音されるまでに、アンプ１１等のアンプによって増幅される場合には、小音正規化部４から出力される小音量を示す値は、１５ｄＢ程度の音量を示しているわけではない。小音正規化部４からの出力は、上記各チャンネル毎に設けられた各セレクタ（ｓｅｌ）６ａ〜６ｆの一方の入力端子Ａに供給される。
【００２３】
弦入力部１ｄからの６本の出力信号（アナログ信号）は、該各アナログ信号をそれぞれデジタル信号に変換するとともに、所定のビット数（たとえば５ビット）の値にそれぞれ正規化するＡ／Ｄおよび正規化部５ａ〜５ｆに供給される。Ａ／Ｄおよび正規化部５ａ〜５ｆから出力される各５ビットの信号は、それぞれ、前記各セレクタ６ａ〜６ｆの他方の入力端子Ｂに供給される。また、この各５ビットの信号は、そのすべての信号のすべてのビットに対して論理和を取り、その結果を出力するＯＲ回路７に供給される。すなわち、ＯＲ回路７は、弦入力エニーストリングオン検出手段として機能する。
【００２４】
ＯＲ回路７からの出力は、反転された後、前記ＡＮＤ回路８の他方の入力端子に供給され、ＡＮＤ回路８からの出力は、前記各セレクタ６ａ〜６ｆのセレクト端子に供給される。ＡＮＤ回路８からハイレベルの信号が出力されたとき、すなわち、音高スイッチ部１ｃの７２個の押弦スイッチの少なくとも１つが押下され、かつ、弦入力部１ｄのいずれの弦部材も操作されないとき、各セレクタ６ａ〜６ｆは、それぞれ、各入力端子Ａに供給されている小音正規化部４からの出力を選択して出力する。一方、ＡＮＤ回路８からロウレベルの信号が出力されたとき、すなわち、音高スイッチ部１ｃの７２個の押弦スイッチの押下状態に拘わらず、弦入力部１ｄの少なくとも１つの弦部材が操作されたとき、各セレクタ６ａ〜６ｆは、それぞれ、各入力端子Ｂに供給されている、Ａ／Ｄおよび正規化部５ａ〜５ｆからの各出力を選択して出力する。
【００２５】
各セレクタ６ａ〜６ｆからの各出力は、それぞれ、前記増幅率を決定するための信号として、前記各デジタルアンプ９ａ〜９ｆに供給される。
【００２６】
各デジタルアンプ９ａ〜９ｆは、楽音信号発生部２からの各チャンネルの出力信号を、各セレクタ６ａ〜６ｆからの各出力信号の値に応じて増幅した後、ＤＡＣ１０に供給する。ＤＡＣ１０は、各デジタルアンプ９ａ〜９ｆからの増幅された各チャンネルの信号を１チャンネルの信号にミキシングするとともに、この１チャンネルのデジタル信号をアナログ信号に変換して、アンプ１１に供給する。
【００２７】
アンプ１１によって増幅されたアナログの楽音信号は、スピーカ１２によって音響となる。
【００２８】
次に、以上のように構成された電子弦楽器１の制御動作を説明する。説明の便宜上、演奏者の演奏動作を場合分けし、その各場合毎に電子弦楽器１でなされる制御動作について説明する。
【００２９】
演奏者は、電子弦楽器１を用いて、次の３種類の演奏動作を行うことができる。すなわち、
（１）音高スイッチ部１ｃの好みの押弦スイッチを押下するのみ
（２）音高スイッチ部１ｃの好みの押弦スイッチを押下するとともに、弦入力部１ｄの好みの弦部材をはじく
（３）弦入力部１ｄの好みの弦部材をはじくのみ
である。
【００３０】
上記（１）の演奏動作では、楽音信号発生部２から演奏者が押下した押弦スイッチに対応する音高の楽音信号が発生されて、対応するチャンネルのデジタルアンプ９ａ〜９ｆに出力される。ＯＲ回路３からは、ハイレベルの信号が出力されるので、小音正規化部４からは、前記小音量を示す５ビットの信号が出力される。一方、各Ａ／Ｄおよび正規化部５ａ〜５ｆからは、それぞれ全ビットが“０”の信号が出力される（つまり１以上の信号（撥弦動作を検出した信号）は出力されない）ので、ＯＲ回路７からは、ロウレベルの信号が出力され、これが反転されて、ハイレベルの信号となってＡＮＤ回路８に供給される。ＡＮＤ回路８には、上記ＯＲ回路３からのハイレベルの信号も供給されるので、ＡＮＤ回路８からは、ハイレベルの信号が出力される。したがって、各セレクタ６ａ〜６ｆではそれぞれ、入力端子Ａに供給された、小音正規化部４からの信号が選択されて、各デジタルアンプ９ａ〜９ｆに供給される。デジタルアンプ９ａ〜９ｆのうち、前記楽音信号が出力されたアンプでは、当該楽音信号の振幅が、前記小音量に対応する増幅率で増幅され、ＤＡＣ１０、アンプ１１およびスピーカ１２を介して音響となる。すなわち、押弦スイッチのみを押下すると、対応する音高の楽音が小音量で発生する。
【００３１】
前記（２）の演奏動作では、まず、上記（１）の演奏動作と同様の制御動作によって、好みの押弦スイッチを押下した時点で、押下した押弦スイッチに対応する音高の楽音が小音量で発生する。次に、演奏者が好みの弦部材をはじくと、Ａ／Ｄおよび正規化部５ａ〜５ｆのうち、演奏者がはじいた弦部材に対応するＡ／Ｄおよび正規化部からは、はじいた強さに応じた値を示す５ビットの信号（つまり、５ビットのうち少なくとも１ビットは“１”である信号）が出力されるので、ＯＲ回路７からは、ハイレベルの信号が出力され、これが反転されて、ロウレベルの信号となってＡＮＤ回路８に供給される。ＡＮＤ回路８には、上記ＯＲ回路３からのハイレベルの信号も供給されるが、ＡＮＤ回路８からは、ロウレベルの信号が出力される。したがって、各セレクタ６ａ〜６ｆではそれぞれ、入力端子Ｂに供給された、Ａ／Ｄおよび正規化部５ａ〜５ｆからの各信号が選択されて、各デジタルアンプ９ａ〜９ｆに供給される。デジタルアンプ９ａ〜９ｆのうち、前記楽音信号が出力されたアンプでは、当該楽音信号の振幅が、上記はじいた強さに応じた値に対応する増幅率で増幅され、ＤＡＣ１０、アンプ１１およびスピーカ１２を介して音響となる。すなわち、押弦スイッチを押下した状態で弦部材をはじくと、該押弦スイッチに対応する音高の楽音が該弦部材をはじいた強さに応じた音量で発生する。
【００３２】
前記（３）の演奏動作では、上記（２）の演奏動作による制御動作のうち、演奏者が好みの弦部材をはじいた以降の制御動作と同様の制御動作によって、いずれの押弦スイッチも押下していない状態、すなわちギターでいう開放弦の状態の音高の楽音が該弦部材をはじいた強さに応じた音量で発生する。
【００３３】
このように、本実施の形態では、演奏者が音高スイッチ部１ｃの好みの押弦スイッチを押下した時点で、当該押弦スイッチに対応する音高の楽音が一定の小音量で発生するので、ハンマリング発音を擬似的に発生させることができ、これにより、演奏の表現力をより向上させることができる。また、このハンマリング発音時の音量は小音量かつ一定であるので、弦入力部１ｄの好みの弦部材をはじいたときに正式発音させる前に、演奏者はどの押弦スイッチを押下したかを耳で理解でき、鍵盤演奏における探り弾きにも通じる効果が期待できる。また、押弦スイッチを押下したときのみに発生させる楽音の音量は小音量であるため、演奏者から離れた人には、この音が聞こえない（演奏者自身およびそのすぐ近くにいる人のみ、この音がわずかに聞こえる）。したがって、教習（学習）効果としては大きい。
【００３４】
なお、本実施の形態では、前記（１）の演奏動作において、各デジタルアンプ９ａ〜９ｆにすべて小音量を示す信号を出力することにより、各弦に対応する各チャンネルをすべて小音量でオープンするようにした（ただし、楽音信号を発生させないチャンネルでは、無音となる）が、これに限らず、押下した押弦スイッチに対応するチャンネルのみオープンするようにしてもよい。
【００３５】
また、本実施の形態では、前記（２）の演奏動作において、弦部材をはじく強さを弱めると、弦部材をはじいて発生させた楽音の音量の方が、押弦スイッチを押下して発生させた楽音の音量より小さくなる場合が生じる。これは、少々不自然であるため、弦部材をはじく強さをいくら弱めたとしても、弦部材をはじいて発生させた楽音の音量が、押弦スイッチを押下して発生させた楽音の音量より小さくならないようにすることが好ましい。そして、このような制御動作は、次のようにして実現することができる。
【００３６】
図２は、弦部材をはじく強さをいくら弱めたとしても、弦部材をはじいて発生させた楽音の音量が、押弦スイッチを押下して発生させた楽音の音量より小さくならないようにするために、図１の構成に付加すべき付加部２１の構成を示す図である。
【００３７】
図２において、付加部２１ａ〜２１ｆは、前記セレクタ６ａ〜６ｆと同様に、各チャンネル毎に１つずつ設けられている。ただし、各付加部２１ａ〜２１ｆの構成は、それぞれ同様であるため、付加部２１ａを代表させて、その構成を説明する。
【００３８】
付加部２１ａは、比較部２１ａ１と、セレクタ（ｓｅｌ）２１ａ２とによって構成される。
【００３９】
比較部２１ａ１の一方の入力端子Ａには、前記小音正規化部４から５ビットの出力信号が供給され、比較部２１ａ１の他方の入力端子Ｂには、Ａ／Ｄおよび正規化部５ａから５ビットの出力信号が供給される。比較部２１ａ１は、入力端子Ａに供給される信号のレベルと入力端子Ｂに供給される信号のレベルとを比較し、Ａ≧Ｂのときにハイレベルの信号を出力し、Ａ＜Ｂのときにロウレベルの信号を出力する。比較部２１ａ１からの出力は、セレクタ２１ａ２のセレクト端子に供給される。
【００４０】
セレクタ２１ａ２の入力端子Ａには、小音正規化部４から５ビットの出力信号が供給され、セレクタ２１ａ２の入力端子Ｂには、セレクタ６ａからの出力信号が供給される。セレクタ２１ａ２は、比較部２１ａ１からハイレベルの信号が供給されたとき、すなわち小音正規化部４からの小音信号のレベルがセレクタ６ａからの出力信号のレベル（対応する弦部材をはじいたときの強さ）以上のときには、入力端子Ａに供給される小音正規化部４からの小音信号を選択して出力する一方、比較部２１ａ１からロウレベルの信号が供給されたとき、すなわち小音正規化部４からの小音信号のレベルがセレクタ６ａからの出力信号のレベル（対応する弦部材をはじいたときの強さ）より小さいときには、入力端子Ｂに供給されるＡ／Ｄおよび正規化部５ａからの出力信号、すなわち対応する弦部材をはじいたときの強さに応じた出力信号を選択して出力する。セレクタ２１ａ２からの出力信号は、デジタルアンプ９ａに供給される。
【００４１】
図３は、弦入力部１ｄのある１つの弦部材をはじいたときに、対応するセンサ体から出力されたセンサ出力と、スピーカ１２から発生される楽音の音量との関係を示す図である。
【００４２】
同図に示すように、ある１つの押弦スイッチのみを押したときに発生する楽音の音量Ｖ０より小音量の楽音を発生させるようなセンサ出力となっても、スピーカ１２から発生される楽音の音量は、音量値Ｖ０を下回らない。
【００４３】
このように、図１の電子弦楽器１の構成に付加部２１ａ〜２１ｆを付加することにより、図１の電子弦楽器１の構成によって生じる前記不自然さを解消させることができる。
【００４４】
なお、図１の電子弦楽器１において、その胴体部１ａにモニタスピーカ１５を設けるようにしてもよい。この場合、スピーカ１２は、モニタスピーカ１５以外のスピーカ、たとえばギターアンプのスピーカに相当する。さらに、スピーカ１２および１５の発音制御、すなわち、「モニタスピーカ１５のみから発音」と「スピーカ１２および１５双方から発音」とを切り替える切り替え制御を、ＡＮＤ回路８の出力信号のレベルに従って行うようにしてもよい。具体的には、ＡＮＤ回路８の出力信号がハイレベルのときには、前者、すなわち「モニタスピーカ１５のみから発音」とし、ＡＮＤ回路８の出力信号がロウレベルのときには、後者、すなわち「スピーカ１２および１５双方から発音」とするように切り替えると、教習の効果がより向上する。つまり、正規発音の前の事前発音としてのハンマリング音は、モニタスピーカ１５のみから発音される。
【００４５】
しかし、これでは、演奏テクニックとしてのハンマリング音も同様に、モニタスピーカ１５のみから発音されるので、これに対処するためには、たとえば、上記発音制御を「する」、「しない」を切り替え可能な切り替えスイッチを設け、このスイッチをユーザがマニュアルで操作するようにすればよい。たとえば、電子弦楽器１を教習用に用いるときには、「する」に切り替え、電子弦楽器１をステージ用に用いるときには、「しない」に切り替える。つまり、「しない」に切り替えられたときは、本実施の形態で説明した通りであり、このとき、電子弦楽器１をステージ用に用いて、図示しないメインアンプで電子弦楽器１から出力された楽音を発生させれば、ハンマリング音は増幅されて、演奏用テクニックとして聴衆に聞こえるように発生される。
【００４６】
【発明の効果】
以上説明したように、請求項１に記載の発明によれば、複数の音高指定スイッチのうち少なくとも１つのスイッチが押下されたときのみに楽音発生手段から発生させる楽音の音量は所定値以下の所定音量に制御され、撥弦動作検出手段によって撥弦動作が検出されたときに前記楽音発生手段から発生させる楽音の音量は前記所定値以上の音量に制御されるので、ハンマリング発音（音高指定スイッチを押下したときのみに発生させる楽音）を擬似的に発生させることができ、これにより、演奏の表現力をより向上させることができる。
【００４７】
また、音高指定スイッチを押下したときのみに発生させる楽音の音量を、小音量かつ一定にすれば、撥弦動作検出手段によって撥弦動作が検出されたときに正式発音させる前に、演奏者はどの音高指定スイッチを押下したかを耳で理解でき、鍵盤演奏における探り弾きにも通じる効果が期待できる。また、音高指定スイッチを押下したときのみに発生させる楽音の音量は小音量であるため、演奏者から離れた人には、この音が聞こえない（演奏者自身およびそのすぐ近くにいる人のみ、この音がわずかに聞こえる）。したがって、教習（学習）効果としては大きい。
【図面の簡単な説明】
【図１】  本発明の一実施の形態に係る電子弦楽器１の概略構成を示すブロック図である。
【図２】  弦部材をはじく強さをいくら弱めたとしても、弦部材をはじいて発生させた楽音の音量が、押弦スイッチを押下して発生させた楽音の音量より小さくならないようにするために、図１の電子弦楽器の構成に付加すべき付加部の構成を示す図である。
【図３】  図１の弦入力部のある１つの弦部材をはじいたときに、対応するセンサ体から出力されたセンサ出力と、スピーカから発生される楽音の音量との関係を示す図である。
【符号の説明】
１ｃ  音高スイッチ部（音高指定用スイッチ）
１ｄ  弦入力部（撥弦動作検出手段）
２  楽音信号発生部（楽音発生手段）
３  ＯＲ回路（制御手段）
４  小音正規化部（制御手段）
５ａ〜５ｆ  Ａ／Ｄおよび正規化部（制御手段）
６ａ〜６ｆ  セレクタ（制御手段）
７  ＯＲ回路（制御手段）
８  ＡＮＤ回路（制御手段）
９ａ〜９ｆ  デジタルアンプ（制御手段）
【図１】
0003788300.tif 000002
【図２】
0003788300.tif 000003
【図３】
0003788300.tif 000004